(57)【特許請求の範囲】
【請求項１】
競技者の頭部および首を左右両側および上側から覆う面ぶとんと、前記競技者の顔の前方に位置されて上部が剣道の試合における面打ち技の打突部位とされる面金と、前記競技者の前記首の前方に位置されて前記剣道の試合における突き技の打突部位とされる突きだれとを備えた面防具と一緒に、前記競技者が前記剣道の試合において前記頭部に着用することができる剣道用保護具であって、
前記剣道の試合において前記面防具と一緒に前記競技者の前記頭部に着用される着用部材と、
板状に形成されて、前記競技者の前記頭部に前記着用部材が着用された着用状態において、前記着用部材から前記競技者の前記首に沿うように下側に向けて延びることで、前記面防具の前記突きだれと前記競技者の前記首との間で当該首を覆うように位置される用心だれと、
前記用心だれを前記着用部材に連結させる連結部材と、
を備え、
前記連結部材は、前記着用状態において前記用心だれが前記競技者の前後方向に前記用心だれにかかる重力によって揺動自在となるように、当該用心だれを前記着用部材からの吊り下げにより当該着用部材から離間された状態として前記用心だれを前記着用部材に連結させている、
剣道用保護具。
【請求項２】
請求項１に記載された剣道用保護具であって、
前記連結部材は、前記着用状態において前記競技者の下あごを左右両側から挟みこむ２箇所の位置にそれぞれ設けられて、当該２箇所の位置から前記用心だれが吊り下げられた状態となるように、当該用心だれを前記着用部材に連結させている、
剣道用保護具。
【請求項３】
請求項１または請求項２に記載された剣道用保護具であって、
前記用心だれは、前記着用状態における前記用心だれと前記面防具の前記面ぶとんとの間の隙間が、前記剣道の試合で使用される竹刀の打突部が通ることができないほど小さくなる大きさに形成されている、
剣道用保護具。
【請求項４】
請求項１から請求項３のいずれかに記載された剣道用保護具であって、
前記用心だれには、前記着用状態において下側に位置される前記用心だれの下縁部に沿うように、当該用心だれの重心をより低くすることを実現させるおもりとして機能される部材が入れられている、
剣道用保護具。
【発明の詳細な説明】
【技術分野】
【０００１】
本発明は、剣道用保護具に関する。詳しくは、競技者の頭部および首を左右両側および上側から覆う面ぶとんと、競技者の顔の前方に位置されて上部が剣道の試合における面打ち技の打突部位とされる面金と、競技者の首の前方に位置されて剣道の試合における突き技の打突部位とされる突きだれとを備えた面防具と一緒に、競技者が剣道の試合において頭部に着用することができる剣道用保護具に関する。
【背景技術】
【０００２】
剣道の試合において有効とされる打突技は、小手防具を打ち込む小手打ち技と、胴防具を側方から打ち込む胴打ち技と、面防具の上部を上側から打ち込む面打ち技と、面防具に設けられた突きだれを突く突き技とに大別される。ここで、上記突きだれは、競技者の首を前側から覆うように位置される打突部位である。このため、競技者は、上記突き技において竹刀が突きだれからそれると、それた竹刀が競技者の首を打突することになるかもしれないという不安を抱くことがある。
この不安を解消するため、剣道の試合においては、上記突きだれとは別に競技者の首を前側から覆う保護具である用心だれが使用されることがある。この用心だれとしては、従来、面防具において突きだれよりも競技者に近い奥側となる位置に、上記面防具と一体となるように固定されるものが知られている（例えば特許文献１を参照）。
【先行技術文献】
【特許文献】
【０００３】
【特許文献１】特許４８６６０１６号公報
【発明の概要】
【発明が解決しようとする課題】
【０００４】
ところで、剣道における打突技のうち、上記面打ち技および上記突き技を行う場合には、競技者はしばしばあごを上に上げて頭部を反らせた状態とする。この状態においては、上記従来の用心だれは上記面防具と一体に上側を向くため、上記用心だれと競技者の首との間には隙間が生まれる。このため、上記従来の用心だれには、上記突き技において上記突きだれからそれた竹刀が、競技者があごを上に上げて頭部を反らせたときに上記用心だれと競技者の首との間に生まれる隙間を抜けて競技者の首を打突することになるかもしれない、という競技者の不安を解消することができないという問題があった。
本発明は、上記した問題を解決するものとして創案されたものである。すなわち、本発明が解決しようとする課題は、競技者があごを上に上げて頭部を反らせたときにも用心だれが競技者の首に沿ってこの首を覆った状態のままとなるようにして、剣道の突き技において突きだれからそれた竹刀が競技者の首を打突することになるかもしれない、という競技者の不安をより少なくすることを実現させる剣道用保護具を提供することである。
【課題を解決するための手段】
【０００５】
上記課題を解決するために、本発明の剣道用保護具は次の手段をとる。
まず、第１の発明は、競技者の頭部および首を左右両側および上側から覆う面ぶとんと、競技者の顔の前方に位置されて上部が剣道の試合における面打ち技の打突部位とされる面金と、競技者の首の前方に位置されて剣道の試合における突き技の打突部位とされる突きだれとを備えた面防具と一緒に、競技者が剣道の試合において頭部に着用することができる剣道用保護具である。この剣道用保護具は、剣道の試合において上記面防具と一緒に競技者の頭部に着用される着用部材と、板状に形成されて、競技者の頭部に着用部材が着用された着用状態において、着用部材から競技者の首に沿うように下側に向けて延びることで、上記面防具の突きだれと競技者の首との間でこの首を覆うように位置される用心だれと、この用心だれを着用部材に連結させる連結部材とを備えている。上記連結部材は、上記着用状態において用心だれが競技者の前後方向に上記用心だれにかかる重力によって揺動自在となるように、この用心だれを上記着用部材からの吊り下げによりこの着用部材から離間された状態として上記用心だれを上記着用部材に連結させている。
この第１の発明によれば、剣道用保護具の着用状態において、この剣道用保護具の用心だれは、競技者の首に沿ってこの首を覆い、かつ、この用心だれにかかる重力によって競技者の前後方向に揺動自在となるように位置される。このため、剣道用保護具の用心だれを、競技者があごを上に上げて頭部を反らせたときにも、この競技者の首に沿ってこの首を覆った状態のままとすることができる。これにより、剣道の突き技において突きだれからそれた竹刀が競技者の首を打突することになるかもしれない、という競技者の不安をより少なくすることを実現させる剣道用保護具を提供することができる。
【０００６】
ついで、第２の発明は、上述した第１の発明において、上記連結部材は、上記着用状態において競技者の下あごを左右両側から挟みこむ２箇所の位置にそれぞれ設けられて、この２箇所の位置から上記用心だれが吊り下げられた状態となるように、この用心だれを上記着用部材に連結させているものである。
この第２の発明によれば、剣道用保護具の用心だれを競技者の下あごを左右両側から挟みこむ２箇所の連結部材から吊り下げられた状態に位置させる。このため、剣道用保護具の着用状態において、競技者の下あごと剣道用保護具の連結部材および用心だれとが互いに干渉することを回避することができる。これにより、競技者の下あごの形状によらず着用することが可能な剣道用保護具を提供することができる。
【０００７】
さらに、第３の発明は、上述した第１または第２の発明において、上記用心だれは、上記着用状態における用心だれと面防具の面ぶとんとの間の隙間が、剣道の試合で使用される竹刀の打突部が通ることができないほど小さくなる大きさに形成されているものである。
この第３の発明によれば、剣道用保護具の着用状態において、この剣道用保護具の用心だれは、面防具の突きだれよりも競技者に近い奥側に位置されて、面防具の面ぶとんとの間に竹刀の打突部が通ることができる大きな隙間がない状態となる。この状態では、剣道の突き技において竹刀の打突部が面防具の突きだれと面ぶとんとの間の隙間を抜けると、上記竹刀の打突部は剣道用保護具の用心だれまたは面防具の面ぶとんの一方または両方に当たる。これにより、剣道の突き技において面防具の突きだれと面ぶとんとの間の隙間を抜けた竹刀の打突部が、さらに上記面ぶとんと上記用心だれとの間の隙間を抜けて競技者の首を打突することになるかもしれない、という競技者の不安をより少なくすることを実現させる剣道用保護具を提供することができる。
【０００８】
さらに、第４の発明は、上述した第１から第３のいずれかの発明において、用心だれには、上記着用状態において下側に位置される用心だれの下縁部に沿うように、用心だれの重心をより低くすることを実現させるおもりとして機能される部材が入れられているものである。
この第４の発明によれば、剣道用保護具の着用状態において、この剣道用保護具の用心だれの重心をより低くすることができる。このため、競技者があごを上に上げて頭部をそらせたときに、この競技者の前方あるいは上方に向かって用心だれが揺動することが抑えられて、この用心だれが競技者の首から離れた状態となることがより少なくなる。これにより、剣道の突き技において突きだれからそれた竹刀が競技者の首を打突することになるかもしれない、という競技者の不安をさらに少なくすることを実現させる剣道用保護具を提供することができる。
【０００９】
さらに、第５の発明は、上述した第１から第４のいずれかの発明において、上記着用部材が上記面防具に一体に取り付けられることで、この面防具と一緒に競技者の頭部に着用される剣道用保護具である。また、第５の発明においては、上記面金は、上記面防具を頭部に着用する競技者に対して、この競技者の顔の右半分に対応する右台枠と、上記競技者の顔の左半分に対応する左台枠と、上記競技者の頭部前方において競技者のひたいから競技者のおとがいに向かって延びる縦金とをそれぞれ別体に備え、この縦金および上記右台枠ならびに上記左台枠は、上記面金の上部においてかしめられることで互いに連結されている。
この第５の発明によれば、剣道用保護具を面防具と一体化することによって、剣道用保護具の装着の手間を省きながら、この剣道用保護具および面防具を同時に着用して、剣道用保護具および面防具の着用に必要な時間を短縮させることができる。また、剣道の試合における面打ち技の打突部位とされる面防具の面金の上部においては、この面金においてそれぞれ別体とされる縦金および右台枠ならびに左台枠が、互いにかしめられて連結される。このため、上記面打ち技により面金の上部に与えられる衝撃および振動が、上記縦金または右台枠もしくは左台枠のいずれか１つから他の２つに伝達されることが抑えられる。これにより、上記面打ち技による衝撃および振動が競技者により伝達されにくくされた面防具および剣道用保護具を提供することができる。
【図面の簡単な説明】
【００１０】
【図１】本発明の第１の実施形態にかかる剣道用保護具の着用状態を表した正面図である。
【図２】図１の剣道用保護具を表した背面図である。
【図３】図１の剣道用保護具の着用状態を表した要部断面矢視図であり、競技者が直立している状態を表す。
【図４】図１の剣道用保護具の着用状態を表した要部断面矢視図であり、競技者があごを上に上げて頭部を反らせた状態を表す。
【図５】本発明の第２の実施形態にかかる剣道用保護具および面防具を表した正面図である。
【図６】図５の剣道用保護具および面防具を表した背面図である。
【図７】図５の面防具の面金を単体で表した背面図である。
【図８】図７のＶＩＩＩ−ＶＩＩＩ線断面矢視図である。
【図９】図７の面金において図８に表した部分と同じ部分を表した部分拡大斜視図である。
【発明を実施するための形態】
【００１１】
以下に、本発明を実施するための形態について、図面を用いて説明する。なお、以下において、面防具を着用するための面ひもおよびひもの長さを調節するためのコキカンなどの、付随的かつ従来から用いられている構成については、その図示および詳細な説明を省略する。
〈第１の実施形態〉
始めに、第１の実施形態にかかる剣道用保護具１０の構成について、図１ないし図４を用いて説明する。この剣道用保護具１０は、図３および図４に示すように、用心だれ１１を備え、かつ、剣道の試合において競技者９０が面防具２０と一緒に頭部に着用することができる剣道用保護具である。
【００１２】
ここで、面防具２０は、図１ないし図４に示すように、競技者９０の頭部および首９２を左右両側および上側から覆う面ぶとん２２と、競技者９０の顔の前方（図３で見て右方）に位置されて上部が剣道の試合における面打ち技の打突部位とされる面金２３と、競技者９０の首９２の前方に位置されて剣道の試合における突き技の打突部位とされる突きだれ２１とを備えている。
しかしながら、面防具２０は、図３および図４に示すように、突きだれ２１とは別に競技者９０の首９２を前側から覆う用心だれを備えていない。このため、競技者９０は、必要に応じて剣道用保護具１０を面防具２０と一緒に着用することで、剣道の突き技において突きだれ２１からそれた竹刀（図示省略）が競技者９０の首９２を打突することになるかもしれない、という不安を軽減させるものである。
【００１３】
また、剣道用保護具１０は、図１および図２に示すように、競技者９０の頭部に着用される着用ひも１３と、競技者９０の頭部に着用ひも１３が着用された着用状態において、着用ひも１３から競技者９０の首９２に沿うように下側に向けて延びる用心だれ１１と、この用心だれ１１を着用ひも１３に連結させる連結部材１２とを備えている。ここで、着用ひも１３は、本発明における「着用部材」に相当する。
また、着用ひも１３は、図３および図４に示すように、コキカンが取り付けられることでその長さを調節することができるように構成されている。そして、着用ひも１３は、面防具２０の面ぶとん２２と、面防具２０において競技者９０の顔の輪郭に相当する内輪２０Ａとの間に挟みこまれた状態に取り付けられて着用されるようになっている。これにより、面防具２０の面ぶとん２２および内輪２０Ａに剣道用保護具１０の着用ひも１３を押さえさせて、着用している剣道用保護具１０をより脱落しにくくすることができる。また、上記コキカンおよび連結部材１２などの着用ひも１３に取り付けられる各部材が競技者９０の顔に直接当たることを抑えて、上記各部材によって剣道用保護具１０の着用感が悪化されることを抑えることができる。
なお、剣道用保護具１０は、面防具２０と同様の各構成（すなわち、突きだれ、内輪、面ぶとん、および、面金）と、上記突きだれとは別に競技者の首を前側から覆う用心だれとを備えた面防具（図示省略）に取り付けられて、この面防具と一緒に着用されることもできるものである。この場合、競技者の首と上記面防具の突きだれとの間には上記面防具の用心だれおよび剣道用保護具１０の用心だれ１１の２枚の用心だれが介在することになるので、剣道の突き技において突きだれからそれた竹刀（図示省略）が競技者の首を打突することになるかもしれない、という競技者の不安がさらに軽減される。また、この場合でも、面防具に取り付けられる剣道用保護具１０の着用ひも１３を上記面防具の面ぶとんと内輪との間に挟みこませることで、剣道用保護具１０の脱落およびこの剣道用保護具１０の着用感の悪化を抑えることができる。
【００１４】
また、連結部材１２は、図１および図２に示すように、金属製の環（本実施形態ではシャックル）として形成されている。また、連結部材１２は、競技者９０の頭部に着用ひも１３が着用された着用状態において、競技者９０の下あご９１を左右両側（図示左右両側）から挟みこむ２箇所の位置にそれぞれ取り付けられている。
そして、各連結部材１２は、図１ないし図４に示すように、上記２箇所の位置から用心だれ１１が吊り下げられた状態となるように、この用心だれ１１を着用ひも１３に連結させている。これにより、用心だれ１１は、上記着用状態において、面防具２０の突きだれ２１と競技者９０の首９２との間となる位置でこの首９２を前側（図３で見て右側）から覆い、かつ、競技者９０の前後方向（図３で見て左右方向）に揺動自在となるように位置される。
【００１５】
上記構成によれば、剣道用保護具１０の用心だれ１１を、競技者９０が直立しているとき（図３参照）にも、剣道の面打ち技または突き技にあわせて競技者９０があご（下あご９１）を上に上げて頭部を反らせた（図４参照）ときにも、競技者９０の首９２に沿ってこの首９２を覆った状態のままとすることができる。これにより、剣道の突き技において突きだれ２１からそれた竹刀（図示省略）が競技者９０の首９２を打突することになるかもしれない、という競技者９０の不安をより少なくすることを実現させる剣道用保護具１０を提供することができる。
また、上記構成によれば、剣道用保護具１０の用心だれ１１を競技者９０の下あご９１を左右両側から挟みこむ２箇所の連結部材１２から吊り下げられた状態に位置させる。このため、剣道用保護具１０の着用状態において、競技者９０の下あご９１と剣道用保護具１０の連結部材１２および用心だれ１１とが互いに干渉することを回避することができる。これにより、競技者９０の下あご９１の形状によらず着用することが可能な剣道用保護具１０を提供することができる。
【００１６】
ところで、用心だれ１１は、図１ないし図４に示すように、刺し子縫い（図示省略）を施された布によって板状に形成されている。また、用心だれ１１は、剣道用保護具１０が面防具２０と一緒に着用された状態においてこの面防具２０の突きだれ２１よりも競技者９０に近い奥側（図３で見て左側）となる位置で、この競技者９０の首９２を前側（図３で見て右側）から覆うようになっている。
また、用心だれ１１は、図１および図２に示すように、剣道用保護具１０が面防具２０と一緒に着用された状態において、この面防具２０の突きだれ２１よりも下側（図示下側）に突出することがなく、かつ、用心だれ１１と面防具２０の面ぶとん２２との間の隙間が、剣道の試合で使用される竹刀の打突部（図示省略）が通ることができないほど小さくなるような大きさに形成されている。
【００１７】
上記構成によれば、剣道用保護具１０の着用状態において、剣道の突き技によって竹刀の打突部が面防具２０の突きだれ２１と面ぶとん２２との間の隙間を抜けた場合に、上記竹刀の打突部は剣道用保護具１０の用心だれ１１または面防具２０の面ぶとん２２の一方または両方に当たる。これにより、剣道の突き技において面防具２０の突きだれ２１と面ぶとん２２との間の隙間を抜けた竹刀の打突部が、さらに面ぶとん２２と用心だれ１１との間の隙間を抜けて競技者９０の首９２を打突することになるかもしれない、という競技者９０の不安をより少なくすることを実現させる剣道用保護具１０を提供することができる。
また、上記構成によれば、剣道用保護具１０の着用状態において、この剣道用保護具１０の用心だれ１１は、面防具２０の突きだれ２１よりも下側に突出して見えることがなくなる。これにより、競技者９０が剣道用保護具１０を使用していることを周囲の人間（例えば競技者９０の対戦相手および剣道の試合を観戦している観客）に気づかせにくくすることができる。
【００１８】
また、用心だれ１１は、図１および図２に示すように、剣道用保護具１０の着用状態において上側に位置される上側部分１１Ａと、上記着用状態において下側に位置される下側部分１１Ｂとを有している。この下側部分１１Ｂには、図１ないし図４に示すように、上記着用状態において前側（図３で見て右側）となる表側にポケット１１Ｃが取り付けられている。このポケット１１Ｃの中には、生皮製の補強板１１Ｄおよび金属製の補強棒１１Ｅがそれぞれ出し入れ可能に入れられている。
ここで、補強板１１Ｄおよび補強棒１１Ｅは、その剛性によって用心だれ１１を補強することで、剣道の突き技により面防具２０の突きだれ２１に与えられ、用心だれ１１を介して競技者９０に伝達される衝撃および振動をより少なくするための部材である。また、補強板１１Ｄおよび補強棒１１Ｅは、用心だれ１１の下側部分１１Ｂに取り付けられたポケット１１Ｃに入れられることで、用心だれ１１において下側部分１１Ｂを上側部分１１Ａよりも重くするおもりとしても機能している。
【００１９】
上記構成によれば、用心だれ１１において下側部分１１Ｂを上側部分１１Ａよりも重くすることで、剣道用保護具１０の着用状態において、この剣道用保護具１０の用心だれ１１の重心をより低くすることができる。このため、剣道の面打ち技または突き技にあわせて競技者９０があご（下あご９１）を上に上げて頭部を反らせた（図４参照）ときに、この競技者９０の前方あるいは上方（図４で見て右方あるいは上方）に向かって用心だれ１１が揺動することが抑えられて、この用心だれ１１が競技者９０の首９２から離れた状態となることがより少なくなる。これにより、剣道の突き技において突きだれ２１からそれた竹刀（図示省略）が競技者９０の首９２を打突することになるかもしれない、という競技者９０の不安をさらに少なくすることを実現させる剣道用保護具１０を提供することができる。
また、上記構成によれば、補強板１１Ｄおよび補強棒１１Ｅが入れられるポケット１１Ｃが用心だれ１１の表側に位置される。このため、用心だれ１１は、図３および図４に示すように、補強板１１Ｄおよび補強棒１１Ｅによって補強された表側の面（図３で見て右側の面）よりも柔らかい裏側の面（図３で見て左側の面）で競技者９０に当接する。これにより、用心だれ１１の着用感が補強板１１Ｄおよび補強棒１１Ｅによって悪化されることを抑えながら、面防具２０の突きだれ２１から用心だれ１１を介して競技者９０に伝達される剣道の突き技の衝撃および振動をより少なくすることを実現させる剣道用保護具１０を提供することができる。
【００２０】
〈第２の実施形態〉
続いて、第２の実施形態にかかる剣道用保護具３０の構成について、図５ないし図９を用いて説明する。第２の実施形態にかかる剣道用保護具３０は、第１の実施形態にかかる剣道用保護具１０を変形した実施形態である。したがって、上記第１の実施形態にかかる剣道用保護具１０および面防具２０の各構成と共通する構成については、第１の実施形態にかかる剣道用保護具１０および面防具２０の各構成に付した符号の数字に「２０」を加算した符号を付して対応させ、その詳細な説明を省略する。
第２の実施形態の剣道用保護具３０は、図５および図６に示すように、剣道の試合において競技者９０の頭部に着用される面防具４０に一体に取り付けられる内輪４０Ａを剣道用保護具３０における着用部材とすることで、面防具４０と一緒に競技者９０の頭部に着用される剣道用保護具である。言い換えると、剣道用保護具３０は、面防具４０の内輪４０Ａに連結部材３２を介して用心だれ３１を吊り下げられた状態に連結させたものである。
【００２１】
上記構成によれば、剣道用保護具３０を面防具４０と一体化することによって、競技者９０は、剣道用保護具３０の装着の手間を省きながら、この剣道用保護具３０および面防具４０を同時に着用することができる。これにより、競技者９０が剣道用保護具３０および面防具４０を着用するために必要な時間を短縮することができる。
なお、第２の実施形態の剣道用保護具３０において、用心だれ３１の具体的な構成および作用効果は、第１の実施形態の剣道用保護具１０における用心だれ１１の具体的な構成および作用効果と同様である。また、第２の実施形態の剣道用保護具３０における連結部材３２は、第１の実施形態の剣道用保護具１０において金属製のシャックルとされた連結部材１２を金属製の二重リングに置き換えたものであり、その作用効果は第１の実施形態の剣道用保護具１０における連結部材１２と同様である。このため、第２の実施形態の剣道用保護具３０における用心だれ３１および連結部材３２の具体的な構成および作用効果については、その詳細な説明を省略する。
【００２２】
ところで、面防具４０は、競技者９０の頭部および首９２を左右両側および上側から覆う面ぶとん４２と、競技者９０の首９２の前方に位置されて剣道の試合における突き技の打突部位とされる突きだれ４１と、競技者９０の顔の前方に位置されて上部が剣道の試合における面打ち技の打突部位とされる面金４３とを備えている。
面金４３は、図５ないし図９に示すように、図７で見て左右方向に分割された右台枠４３Ａおよび左台枠４３Ｂと、この右台枠４３Ａおよび左台枠４３Ｂに対して図７で見て上下方向に掛け渡された状態にされる縦金４３Ｃとを、それぞれ別体に備えている。この縦金４３Ｃは、面防具４０を頭部に着用する競技者９０に対して、この競技者９０のひたいから競技者９０のおとがいに向かって延びるように湾曲した形状に形成されて、その両端には丸棒状のかしめ足部４３Ｄが設けられている。また、右台枠４３Ａは、図５および図８に示すように、面防具４０を頭部に着用する競技者９０に対して、この競技者９０の顔の右半分に対応する形状に形成されて、その上下両端には縦金４３Ｃのかしめ足部４３Ｄを挿通させることができる貫通孔が設けられている。また、左台枠４３Ｂは、面防具４０を頭部に着用する競技者９０に対して、この競技者９０の顔の左半分に対応する形状に形成されて、その上下両端には縦金４３Ｃのかしめ足部４３Ｄを挿通させることができる貫通孔が設けられている。
【００２３】
また、面金４３において、縦金４３Ｃおよび右台枠４３Ａならびに左台枠４３Ｂは、図７ないし図９に示すように、面金４３の上端となる天部分および面金４３の下端となる地部分（図７参照）のそれぞれにおいて重ねられている。また、縦金４３Ｃおよび右台枠４３Ａならびに左台枠４３Ｂは、この右台枠４３Ａおよび左台枠４３Ｂの各貫通孔に縦金４３Ｃの各かしめ足部４３Ｄが挿通され、この各かしめ足部４３Ｄが叩きつぶされてかしめられることで互いに連結されている。
なお、面金４３において、右台枠４３Ａおよび左台枠４３Ｂならびに縦金４３Ｃは、図５ないし図９に示すように、この縦金４３Ｃに挿通された複数本（本実施形態では１４本）の横金が右台枠４３Ａおよび左台枠４３Ｂに掛け渡されるように取り付けられることによっても、互いに連結されている。
【００２４】
上記構成によれば、面防具４０の面金４３において上端となる天部分で、面金４３においてそれぞれ別体とされる縦金４３Ｃおよび右台枠４３Ａならびに左台枠４３Ｂが、互いにかしめられて連結される。このため、剣道の試合における面打ち技の打突部位とされる面防具４０の面金４３の上部においては、上記面打ち技により面金４３の上部に与えられる衝撃および振動が、縦金４３Ｃまたは右台枠４３Ａもしくは左台枠４３Ｂのいずれか１つから他の２つに伝達されることが抑えられる。また、上記面打ち技による衝撃および振動は、面防具４０の面金４３において下端となる地部分で縦金４３Ｃおよび右台枠４３Ａならびに左台枠４３Ｂが互いにかしめられて連結されることによっても、その伝達が抑えられる。これにより、上記面打ち技による衝撃および振動が競技者９０により伝達されにくくされた面防具４０および剣道用保護具３０を提供することができる。
また、上記構成によれば、面防具４０の面金４３の上端となる天部分において、縦金４３Ｃおよび右台枠４３Ａならびに左台枠４３Ｂが重ねられた状態にかしめられて連結されることで、この面金４３の天部分を厚く頑丈な構成とすることができる。これにより、剣道の試合における面打ち技の打突部位とされる面金４３の上部の強度を向上させて、上記面打ち技に対する面金４３および面防具４０の耐久性を向上させることができる。
【００２５】
本発明は、上述した第１および第２の実施形態で説明した外観、構成に限定されず、本発明の要旨を変更しない範囲で種々の変更、追加、削除が可能である。例えば、以下のような各種の形態を実施することができる。
（１）剣道用保護具の連結部材は、上述した第１および第２の実施形態で説明したものに限定されない。すなわち、剣道用保護具の連結部材は、例えば任意の素材および形状の輪または用心だれを着用部材に対して吊り下げられた状態に結びつけるひもなど、剣道用保護具の着用状態において用心だれが競技者の前後方向に揺動自在とすることができる任意の連結部材とすることができる。
（２）剣道用保護具の用心だれは、上述した第１および第２の実施形態で説明したものに限定されない。すなわち、剣道用保護具の用心だれにおいて、例えば用心だれに取り付けられるポケットを省略して補強板および補強棒を用心だれに埋め込んだ構成、または、用心だれから補強板および補強棒を省略して、用心だれの下側部分を上側部分よりも厚くすることでこの上側部分よりも重くした構成を採用するなど、剣道用保護具の用心だれの具体的な構成を適宜変更することができる。
（３）剣道用保護具の着用部材は、上述した第１および第２の実施形態で説明したものに限定されない。すなわち、剣道用保護具の着用部材を、例えば任意の形状の汗取り面下または面手ぬぐいなど、面防具と一緒に競技者が頭部に着用する任意の着用部材とすることができる。
【符号の説明】
【００２６】
１０    剣道用保護具
１１    用心だれ
１１Ａ  上側部分
１１Ｂ  下側部分
１１Ｃ  ポケット
１１Ｄ  補強板
１１Ｅ  補強棒
１２    連結部材
１３    着用ひも（着用部材）
２０    面防具
２０Ａ  内輪
２１    突きだれ
２２    面ぶとん
２３    面金
３０    剣道用保護具
３１    用心だれ
３１Ａ  上側部分
３１Ｂ  下側部分
３１Ｃ  ポケット
３１Ｄ  補強板
３１Ｅ  補強棒
３２    連結部材
４０    面防具
４０Ａ  内輪（着用部材）
４１    突きだれ
４２    面ぶとん
４３    面金
４３Ａ  右台枠
４３Ｂ  左台枠
４３Ｃ  縦金
４３Ｄ  かしめ足部
９０    競技者
９１    下あご
９２    首
【要約】
【課題】突き技において突きだれからそれた竹刀が首を打突するかもしれないという不安をより少なくする剣道用保護具を提供する。
【解決手段】剣道用保護具１０は、試合において面防具２０と一緒に競技者９０の頭部に着用される着用ひも１３（着用部材）と、競技者９０の頭部に着用ひも１３が着用された着用状態において、着用ひも１３から競技者９０の首９２に沿うように下に延び、突きだれ２１と競技者９０の首９２との間で首９２を覆う用心だれ１１と、用心だれ１１を着用ひも１３に連結させる連結部材１２とを備える。連結部材１２は、上記着用状態において用心だれ１１が競技者９０の前後方向に揺動自在となるように、用心だれ１１を着用ひも１２に連結させる。これにより、競技者９０が頭部を反らせたときにも用心だれ１１が競技者９０の首９２を覆うので、競技者９０の不安をより少なくすることができる。
【選択図】図４【図１】
0005438204.tif 000002
【図２】
0005438204.tif 000003
【図３】
0005438204.tif 000004
【図４】
0005438204.tif 000005
【図５】
0005438204.tif 000006
【図６】
0005438204.tif 000007
【図７】
0005438204.tif 000008
【図８】
0005438204.tif 000009
【図９】
0005438204.tif 000010